(57)【要約】【課題】          キャップの取り外すとストロー全体が上昇するストロー容器装置においては、ストローの下端部も同時に上昇しているから内容液を底部近くまで飲み切ることができない課題があり、中栓に保持させたストローを手で掴んで引き出して飲むストロー容器装置では、ストローの取り扱いが困難な課題があった。【解決手段】      容器本体１０の飲み口１１においてインナーストロー３０を上下動可能に案内する収容案内部４０と、飲み口１１の下方に上端部を固定して下端部を容器本体１０の底部１２に向かって設けた固定ストロー２０と、固定ストロー２０内で上下方向に移動可能に前記インナーストロー３０の外周部に設けたフロート部３１とからなるインナーストロー容器装置。【選択図】            図１
2006288857.tif 000002
【特許請求の範囲】
【請求項１】
飲料を収容する容器本体と、前記容器本体の飲み口においてインナーストローを容器内に収容する位置から飲み口から突出する位置まで上下動可能に案内するインナーストローの収容案内部と、前記容器本体内において前記飲み口の下方に上端部を固定して下端部を容器本体の底部に向かって設けた固定ストローと、前記固定ストローの下端部に設けた飲料流入部と、前記固定ストロー内で上下方向に移動可能に設けた前記インナーストローと、前記固定ストロー内で上下方向に移動可能に前記インナーストローの外周部に設けたフロート部とからなるインナーストロー容器装置。
【請求項２】
請求項１に記載のインナーストロー容器装置において、前記インナーストローが飲み口から突出した位置で固定ストローとインナーストローのフロート部が液密状態で接続するように設けてなるインナーストロー容器装置。
【請求項３】
請求項１又は２に記載のインナーストロー容器装置において、インナーストローの収容案内部に固定ストローの上端部を接続してなるインナーストロー容器装置。
【請求項４】
請求項１、２又は３に記載のインナーストロー容器装置において、固定ストローの上端部を接続してなる収容案内部とインナーストローのフロート部との間に液密部を設けてなるインナーストロー容器装置。
【請求項５】
請求項１乃至４のいずれかに記載のインナーストロー容器装置において、液密状態を維持するストッパーを固定ストローとフロート部との間に設けてなるインナーストロー容器装置。
【請求項６】
請求項１乃至５のいずれかに記載のインナーストロー容器装置において、収容案内部のインナーストローの案内孔と容器内と連通する空気抜き孔を設けてなるインナーストロー容器装置。
【請求項７】
請求項１乃至６のいずれかに記載のインナーストロー容器装置において、容器首部に装着するキャップに収容案内部の案内孔内に嵌合する蓋状突起を設けてなるインナーストロー容器装置。
【請求項８】
請求項１乃至７のいずれかに記載のインナーストロー容器装置において、インナーストローにフロート部を一体に設けてなるインナーストロー容器装置。
【請求項９】
請求項１乃至８のいずれかに記載のインナーストロー容器装置において、インナーストローの下部に嵌着孔を有するフロート部を一体に嵌着して設けてなるフロート部を一体に嵌着して設けてなるインナーストロー容器装置。
【請求項１０】
請求項１乃至９のいずれかに記載のインナーストロー容器装置において、インナーストローの下端部に装着するフロート部にインナーストローに連通する連通孔を一体に設けてなるインナーストロー容器装置。
【発明の詳細な説明】
【技術分野】
【０００１】
本発明は、インナーストロー容器装置に関するものである。
【背景技術】
【０００２】
従来、飲料を封入した容器本体の飲み口を覆う円盤状の中栓にストロー挿通孔を設け、挿通孔の下方にガイド筒を一体に設けて、ガイド筒に内挿されて上部蛇腹状伸縮部を備え且つ中程にストッパが突設されたストローを用いて、ストローのストッパがガイド筒の下端部に当接した状態にあっては蛇腹状伸縮部が中栓の上方に露出するように構成すると共に、ストローの下端部付近にフロートを設けたインナーストロー容器装置は知られている（特許文献１参照）。
また、中栓に保持させた大管ストローの先端部に小管ストローを伸縮自在に嵌合して中栓上に突出する位置と中栓内に収納する位置に伸縮するインナーストロー容器装置も知られている（特許文献２参照）。
【０００３】
【特許文献１】特開２００４−２３８０２４号公報
【特許文献２】特開２００４−３０６９８３号公報
【発明の開示】
【発明が解決しようとする課題】
【０００４】
しかし、特許文献１に記載のキャップの取り外しに伴ってストロー全体が上昇するインナーストロー容器装置にあっては、ストローの蛇腹状伸縮部が中栓の上方に突出した状態では、ストローの下端部も同時に上昇しているから内容液を底部近くまで飲み切ることができない課題があり、特許文献２に記載の中栓に保持させた大管ストローの先端部に伸縮自在に嵌合して中栓上に突出する位置と中栓内に収納する位置に伸縮するインナーストロー容器装置にあっては、中栓内でストローを手で掴んで引き出して飲み、中栓内に手で掴んで戻すため、中栓を大きくする必要があると共に、ストローの取り扱いが困難な課題があった。
【課題を解決するための手段】
【０００５】
そこで、本発明は、上記課題を解決すべく、請求項１に記載のように、飲料を収容する容器本体と、前記容器本体の飲み口においてインナーストローを容器内に収容する位置から飲み口から突出する位置まで上下動可能に案内するインナーストローの収容案内部と、前記容器本体内において前記飲み口の下方に上端部を固定して下端部を容器本体の底部に向かって設けた固定ストローと、前記固定ストローの下端部に設けた飲料流入部と、前記固定ストロー内で上下方向に移動可能に設けた前記インナーストローと、前記固定ストロー内で上下方向に移動可能に前記インナーストローの外周部に設けたフロート部とからなるインナーストロー容器装置を提供するものである。
【０００６】
また、本発明は、請求項２に記載の如く、請求項１に記載のインナーストロー容器装置において、前記インナーストローが飲み口から突出した位置で固定ストローとインナーストローのフロート部が液密状態で接続するように設けてなるインナーストロー容器装置を提供するものである。
【０００７】
また、本発明は、請求項３に記載のように、請求項１又は２に記載のインナーストロー容器装置において、インナーストローの収容案内部に固定ストローの上端部を接続してなるインナーストロー容器装置を提供するものである。
【０００８】
また、本発明は、請求項４に記載のように、請求項１、２又は３に記載のインナーストロー容器装置において、固定ストローの上端部を接続してなる収容案内部とインナーストローのフロート部との間に液密部を設けてなるインナーストロー容器装置を提供するものである。
【０００９】
また、本発明は、請求項５に記載のように、請求項１乃至４のいずれかに記載のインナーストロー容器装置において、液密状態を維持するストッパーを固定ストローとフロート部との間に設けてなるインナーストロー容器装置を提供するものである。
【００１０】
また、本発明は、請求項６に記載のように、請求項１乃至５のいずれかに記載のインナーストロー容器装置において、収容案内部のインナーストローの案内孔と容器内とを連通する空気抜き孔を設けてなるインナーストロー容器装置を提供するものである。
【００１１】
また、本発明は、請求項７に記載のように、請求項１乃至６のいずれかに記載のインナーストロー容器装置において、容器首部に装着するキャップに収容案内部の案内孔内に嵌合する蓋状突起を設けてなるインナーストロー容器装置を提供するものである。
【００１２】
また、本発明は、請求項８に記載のように、請求項１乃至７のいずれかに記載のインナーストロー容器装置において、インナーストローにフロート部を一体に設けてなるインナーストロー容器装置を提供するものである。
【００１３】
また、本発明は、請求項９に記載のように、請求項１乃至８のいずれかに記載のインナーストロー容器装置において、インナーストローに嵌着孔を有するフロート部を一体に嵌着して設けてなるインナーストロー容器装置を提供するものである。
【００１４】
また、本発明は、請求項１０に記載のように、請求項１乃至９のいずれかに記載のインナーストロー容器装置において、インナーストローの下端部を装着するフロート部にインナーストローに連通する連通孔を一体に設けてなるインナーストロー容器装置を提供するものである。
【発明の効果】
【００１５】
本発明に係るインナーストロー容器装置によれば、上記課題を解決すべく、請求項１に記載のように、飲料を収容する容器本体と、前記容器本体の飲み口においてインナーストローを容器内に収容する位置から飲み口から突出する位置まで上下動可能に案内するインナーストローの収容案内部と、前記容器本体内において前記飲み口の下方に上端部を固定して下端部を容器本体の底部に向かって設けた固定ストローと、前記固定ストローの下端部に設けた飲料流入部と、前記固定ストロー内で上下方向に移動可能に設けた前記インナーストローと、前記固定ストロー内で上下方向に移動可能に前記インナーストローの外周部に設けたフロート部とからなる構成を有することにより、インナーストローの外周にフロート部を設けたから固定ストローの内径をそれだけ大きく構成することができ、インナーストローによる吸飲を容易にし、且つ、フロート部と固定ストローとの間に液密部を容易に構成することができる構造的効果があるのみならず、容器本体のキャップを取り外してインナーストローを自由にすると、インナーストローはフロート部の浮力を受けて飲み口から突出する位置に浮上し、インナーストローを手で持つことなく直接に口に含んで自由に容器内の飲料を飲むことができる効果があると共に、また、飲み途中でも、フロー部の浮力に抗して弱い力で円滑にインナーストローを容器内に収納することができ、また、衛生的に良い状態でインナーストローを保管できて再度の使用ができる効果がある一方、容器底部付近の固定ストローの下端部の飲料流入口から吸飲して飲むことができるから、容器内の飲料を底部近くまで容易に飲みきることができる効果があり、更に、飲み途中に容器を倒したとき等にインナーストロー、収容案内部、フロート部及び固定ストローとの間の液密状態により、内容液が一度にこぼれ難い効果がある。
【００１６】
また、本発明は、請求項２に記載の如く、請求項１に記載のインナーストロー容器装置において、前記インナーストローが飲み口から突出した位置で固定ストローとインナーストローのフロート部が液密状態で接続するように設けてなる構成を有することにより、固定ストロー内でインナーストローが自由に上下動可能に緩く嵌合している状態でも、吸飲時には固定ストローの内周壁とインナーストローのフロート部の外周壁との間に液密状態が生じて吸飲することができる効果がある。
【００１７】
また、本発明は、請求項３に記載のように、請求項１又は２に記載のインナーストロー容器装置において、インナーストローの収容案内部に固定ストローの上端部を接続してなる構成を有することにより、固定ストローをインナーストローの収容案内部と一体構造にすることができるから、容器の飲み口の寸法が合えば、本発明に係るインナーストロー容器装置を種々の容器に適用して使用することができる効果がある。
【００１８】
また、本発明は、請求項４に記載のように、請求項１、２又は３に記載のインナーストロー容器装置において、固定ストローの上端部を接続してなる収容案内部とインナーストローのフロート部との間に液密部を設けてなる構成を有することにより、固定ストロー内でインナーストローが自由に上下動可能に緩く嵌合している状態でも、吸飲時には固定ストローの内周壁とインナーストローのフロート部の外周壁との間に液密状態が生じて吸飲可能であるが、インナーストローの最上昇状態で固定ストローの上端部を接続してなる収容案内部とインナーストローのフロート部との間の液密部が密着すれば、インナーストローと固定ストローとの確実な液密状態が得られる効果がある。
【００１９】
また、本発明は、請求項５に記載のように、請求項１乃至４のいずれかに記載のインナーストロー容器装置において、液密状態を維持するストッパーを固定ストローとフロート部との間に設けてなる構成を有することにより、前記インナーストローが飲み口から突出した位置において固定ストローとインナーストローとが液密状態で接続する状態でストッパーで固定することができるから、容易に確実に吸飲することができる効果がある。
【００２０】
また、本発明は、請求項６に記載のように、請求項１乃至５のいずれかに記載のインナーストロー容器装置において、収容案内部のインナーストローの案内孔と容器内とを連通する空気抜き孔を設けてなる構成を有することにより、インナーストローから吸飲するときに外気がインナーストローの収容案内部の案内孔から空気抜き孔を経て容器内に入るから、飲料を固定ストローの下端部に設けた飲料流入部２１を経てインナーストローの下端部から容易に吸飲できると共に、収容案内部の案内孔を介することによって独立に空気孔を設ける必要のない簡素な構造にすることができる効果がある。
【００２１】
また、本発明は、請求項７に記載のように、請求項１乃至６のいずれかに記載のインナーストロー容器装置において、容器首部に装着するキャップに収容案内部の案内孔内に嵌合する蓋状突起を設けてなる構成を有することにより、キャップ装着時に案内孔を蓋状突起により密封することができるから、容器内溶液の流出を阻止することができるのみならず、衛生的に確実な保管が可能になる効果がある。
【００２２】
また、本発明は、請求項８に記載のように、請求項１乃至７のいずれかに記載のインナーストロー容器装置において、インナーストローにフロート部を一体に設けてなる構成を有することにより、一体に組み立てたインナーストローとフロート部を収容案内部及び固定ストローに容易に組み付けることができる効果がある。
【００２３】
また、本発明は、請求項９に記載のように、請求項１乃至８のいずれかに記載のインナーストロー容器装置において、インナーストローの下部にインナーストローに嵌着する嵌着孔を有するフロート部を一体に嵌着して設けてなる構成を有することにより、別体に成形加工したフロート部にインナーストローを嵌着して組み付けることができる効果がある。
【００２４】
また、本発明は、請求項１０に記載のように、請求項１乃至９のいずれかに記載のインナーストロー容器装置において、インナーストローの下端部を装着するにフロート部にインナーストローに連通する連通孔を一体に設けてなる構成を有することにより、インナーストローの下端部にフロート部を容易に設けることができると共に、フロート部の連通孔を介して内溶液を吸飲することができる効果がある。
【発明を実施するための最良の形態】
【００２５】
本発明に係るインナーストロー容器装置は、飲料を収容するペットボトル等からなる容器本体１０と、前記容器本体１０の飲み口１１においてインナーストロー３０を容器本体１０内に収容する位置から飲み口１１から突出する位置まで上下動可能に案内するインナーストロー３０の収容案内部４０と、前記飲み口１１の下側に上端部を固定して下端部を容器本体１０の底部１２に向かって設けた固定ストロー２０と、前記固定ストロー２０の下端部に設けた飲料流入部２１と、前記固定ストロー２０内で上下方向に移動可能に前記インナーストロー３０の外周部に設けたフロート部３１と、前記インナーストロー３０が飲み口から突出した位置で固定ストローとインナーストローとが液密状態で接続するように設けた液密部とからなる構成を有する。
【００２６】
この構成により、インナーストロー３０の外周にフロート部３１を設けたから固定ストロー２０の内径をそれだけ大きく構成することができ、太い内径の固定ストロー２０を介して細いインナーストロー３０により容易に吸飲することができると共に、フロート部３１と固定ストロー２０との間に広い面積の液密部を容易に構成することができ、インナーストロー３０と固定ストロー２０との連結に液密性が保たれるから、それだけ容易に吸飲することができる効果がある。
【００２７】
また、容器本体１０のキャップ１３を取り外してインナーストロー３０を自由にすると、インナーストロー３０はフロート部３１の浮力を受けて飲み口１１から突出する位置に浮上し、且つ、フロート部３１においてインナーストロー３０と固定ストロー２０とが液密状態で接続するから、インナーストロー３０を手で持つことなく直接に口に含んで自由に容器本体１０内の飲料を飲むことができる効果があると共に、インナーストロー３０の浮上位置に関わりなく容器底部１２付近の固定ストロー２０の下端部の飲料流入口２１から吸飲して飲むことができるから、容器本体１０内の飲料を底部１２近くまで容易に飲みきることができる効果がある。
また、飲み途中でも、フロー部３１の浮力に抗して弱い力で円滑にインナーストロー３０を容器内に収納することができると共に、容器内にインナーストロー３０を容易に保管でき、且つ、再度の使用が衛生的にできる効果がある。
【００２８】
また、固定ストロー２０の上端部は飲み口１１の下側であれば、容器本体１０の首部１３に嵌着して直接に固定したり、固定具を用いて固定したり、首部１３と収容案内部４０の間に挟んで固定したりすることも可能であるが、実施例では、インナーストロー３０の収容案内部４０に固定ストロー２０の上端部を接続してなる構成にしてある。
このことにより、固定ストロー２０をインナーストロー３０の収容案内部４０と一体構造にすることができるから、容器本体１０の飲み口１１の寸法が合えば、種々の容器の飲み口に収容案内部４０を適用してインナーストロー容器装置として使用することができる。
【００２９】
図示の実施例の場合、収容案内部４０は、飲み口１１に嵌着するプラスチック製の中栓状の部材からなり、嵌着時に飲み口１１の容器首部開口部を覆う鍔状部４１を一体に設けてあり、図２に記載のように、キャップ５０を装着したとき、収容案内部４０の天面４７にキャップ内天板５１が密着して液密性を確実にするように構成してある。
収容案内部４０の中心部には、インナーストロー３０が上下動自在に嵌合する案内孔４２が貫通して設けてあり、下部は中空筒状部４３として成形してあり、中空筒状部４３内に固定ストロー２０の上端部が一体に嵌着して連結してある。
【００３０】
図示の実施例の場合、中空筒状部４３の外径は容器首部１３の内径より小さく成形されており、容器首部１３との間に空気抜き隙間４４を構成するようにしてあり、空気抜き孔の成形を容易にすると共に中空筒状部４３の肉厚を薄くして弾性変形による固定ストローの嵌着を確実にし、且つ、収容案内部の構造を簡素にする効果がある。
また、収容案内部４０には案内孔４２と空気抜き隙間４４とを連結する空気抜き孔４５が水平方向に設けてあり、インナーストロー３０から吸飲するときに外気がインナーストロー３０と収容案内部４０の案内孔４２の隙間から空気抜き孔４５を経て空気抜き隙間４４から容器内に入るから、飲料を固定ストロー２０の下端部に設けた飲料流入部２１を経てインナーストロー３０の下端部から容易に吸飲できると共に、収容案内部４０の案内孔４２を介することによって独立に空気孔を設ける必要のない簡素な構造にすることができる効果がある。
【００３１】
また、本発明は、上記のインナーストロー容器装置において、固定ストロー２０の上端部を接続してなる収容案内部４０の中空筒状部４３の上端部と、インナーストロー３０のフロート部３１の上端部との間に、インナーストロー浮上時に互いに密着する密着面部４６、３２をそれぞれ設けてある。
この構成により、固定ストロー２０内でインナーストロー３０が自由に上下動可能に緩く嵌合している状態でも、吸飲時には固定ストロー２０の内周壁とインナーストロー３０のフロート部３１の外周壁との間に液密状態が生じて吸飲可能であるが、前述の如く、インナーストロー３０の最浮上位置で固定ストロー２０の上端部を接続してなる収容案内部４０とインナーストロー３０のフロート部３１との間の密着面部４６，３２が互いに液密に密着すれば、インナーストロー３０と固定ストロー２０とのより確実な液密状態が得られる効果がある。
【００３２】
この場合、図示の如く、密着面部４６，３２が円錐面からなる広い接触面と楔状接触面により互いに液密に密着すれば、インナーストロー３０と固定ストロー２０とのより確実な液密状態が得られる効果がある。
また、本発明は、上記のインナーストロー容器装置において、密着面部４６，３２の密着状態を確実に維持することができるように、固定ストロー２０とフロート部３１との間に互いに着脱自在の係合するストッパー突起部２２，３３が設けてあり、前記インナーストロー３０が飲み口から突出した位置で密着面部４６，３２が密着して固定ストロー２０とインナーストロー３０とが液密に接続する状態でストッパー突起部２２，３３が係合して固定することができるから、容易に確実に吸飲することができる効果がある。
【００３３】
また、本発明は、上記のインナーストロー容器装置において、容器首部１３に装着するキャップ５０に収容案内部４０の案内孔４２内に嵌合する蓋状突起５２を設け、キャップ５０装着時に案内孔４２を蓋状突起５２により密封することができるように構成してあり、容器が転倒する場合などに、容器の姿勢にかかわらず、容器内溶液の流出を確実に阻止することができ、インナーストロー３０を確実に衛生的に容器内に収容しておくことができる効果がある。
また、本発明は、上記のインナーストロー容器装置において、インナーストロー３０にフロート部３１を一体に設けてなる構成を有することにより、一体に組み立てたインナーストロー３０とフロート部３１を別体の収容案内部４０及び固定ストロー２０に容易に組み付け容器本体１０に装着することができる効果がある。
【００３４】
図示の実施例の場合、フロート部３１はインナーストロー３０の周囲に中空部３４を形成する外筒部３５を設け、その上端部３５ａと下端部３５ｂをインナーストロー３０を中心に密封して固定した構造からなり、上端部３５ａは前記密着面部３２を形成し、下端部３５ｂはフロート部３１の底部を形成している。
また、図示の実施例の場合、フロート部３１の頂部から下方に向かってインナーストロー３０の下端部を嵌着して固定する嵌着孔３６を設けると共に、嵌着孔３６の下方はフロート部３１を貫通する連通孔３７として設けてあり、別体に成形加工したフロート部３１にインナーストロー３０を嵌着して組み付けることができることとなる。
【００３５】
また、図示の実施例の場合、連通孔３７はインナーストロー３０と同じ内外径の筒体３８からなり、インナーストロー３０の下端部を嵌着孔３６に嵌着した状態で、連通孔３７がそのままインナーストロー３０に連通して接続し、インナーストロー３０の下端部にフロート部３１を容易に装着して設けることができると共に、フロート部３１の連通孔３７を介して内溶液を円滑に吸飲することができる効果がある。
【００３６】
上記の構成において、図４に記載の容器本体１０からキャップ５０を取り外すと、図５に記載のように、容器飲み口１１の収容案内部４０の案内孔４２からインナーストロー３０が、フロート部３１の浮力により早からず遅からず適当な早さで飛び出してくるから、これを口にして内容液を容易に吸飲することができ、飲み途中で、キャップ５０を上から被せると、インナーストロー３０がフロート部３１の浮力に抗して円滑に沈んで、容器内部に収容された状態で、図４に記載のように、キャップ５０を装着して液漏れの心配なく容器を保管することができる。更に、飲み途中に容器を倒したとき等にインナーストロー３０、収容案内部４０、フロート部３１及び固定ストロー２０との間の液密状態により、内容液が一度にこぼれ難い効果がある。
【図面の簡単な説明】
【００３７】
【図１】本発明装置の一実施例の一使用態様を示す中央縦断正面図。
【図２】その実施例の他の使用態様を示す中央縦断正面図。
【図３】図１の一部を拡大して示す拡大中央縦断正面図。
【図４】その実施例の一使用態様の概略斜視図。
【図５】その実施例の他の使用態様の概略斜視図。
【符号の説明】
【００３８】
１０    容器本体
１１    飲み口
１２    底部
１３    首部
２０    固定ストロー
２１    飲料流入口
３０    インナーストロー
３１    フロート部
３２    密着面部
４０    収容案内部
４１    鍔状部
４２    案内孔
４３    中空筒状部
４４    空気抜き隙間
４５    空気抜き孔
４６    密着面部
４７    天面
５０    キャップ
５１    キャップ内天板
【図１】
2006288857.tif 000003
【図２】
2006288857.tif 000004
【図３】
2006288857.tif 000005
【図４】
2006288857.tif 000006
【図５】
2006288857.tif 000007